(57)【要約】アンプ部・チューナー部・音楽ファイル記憶再生機能部・スピーカー部・電源部など各機能部をモジュール化して、各モジュールをシステム手帳サイズに接合すると同時に配線する方式である、音質及び汎用性或いは利便性に優れる携帯サイズのオーディオ装置。
2008139629.tif 000002
【特許請求の範囲】
【請求項１】
全体を携帯サイズに形成する携帯型オーディオ。
【請求項２】
アンプ機能部・チューナー機能部・音楽ファイル記憶再生機能部・スピーカー部・電源部などをモジュール化して、
全体を携帯サイズで各モジュールを接合する方式の携帯型コンポーネントオーディオである、請求項１記載の携帯型オーディオ。
【請求項３】
各機能部を接合して全体をバイブルサイズのシステム手帳に綴じる方式で形成する、
請求項２記載の携帯型コンポーネントオーディオ。
【請求項４】
各機能部をモジュール化して、
全体をシステム手帳に綴じるサイズに形成する各モジュール接合方法が、
図３で説明した接合方式、或いは矢印型・逆台形型・図３で示す形の断面形状で接合部を左端から右端までレール状に形成する接合方式である、
請求項２記載の携帯型コンポーネントオーディオを実現する方法。
【請求項５】
各機能部をモジュール化して、
全体をシステム手帳に綴じるサイズに形成する各モジュール間を接続する配線方法が、図３及び図５で説明した携帯型コンポーネントオーディオ接合方式である、
請求項２記載の携帯型コンポーネントオーディオを実現する方法。
【請求項６】
各機能部をモジュール化して、
全体をシステム手帳に綴じるサイズに形成する各モジュール接合方法が、図４で説明した携帯型コンポーネントオーディオラック方式である、
請求項２記載の携帯型コンポーネントオーディオを実現する方法。
【請求項７】
各機能部をモジュール化して、
全体をシステム手帳に綴じるサイズに形成する各モジュール間を接続する配線方法が、図４及び図５で説明した携帯型コンポーネントオーディオラック方式である、
請求項２記載の携帯型コンポーネントオーディオを実現する方法。
【請求項８】
図５の（ｂ）で説明した、
接点端子５７をスプリング５９で保持する方式で図３に示す接点端子３０及び図４で示すモジュール裏面端子４５部分を形成する、
請求項２記載の携帯型コンポーネントオーディオ。
【請求項９】
ハードディスク記憶装置をモジュール化したハードディスクモジュール或いは大容量フラシュメモリをモジュール化したフラッシュメモリモジュールを装備可能である、
請求項２記載の携帯型コンポーネントオーディオ。
【請求項１０】
ハードディスクモジュール或いはフラッシュメモリモジュールに音楽ファイルを記憶保存して、再生時にはハードディスクモジュール或いはフラッシュメモリモジュールから音楽ファイル記憶再生機能部に読み出して再生する方式である、
請求項２記載の携帯型コンポーネントオーディオ。
【請求項１１】
キーボードをモジュール形成したキーボードモジュールを装備可能である、
請求項２記載の携帯型コンポーネントオーディオ。
【請求項１２】
携帯電話機能をモジュール形成した携帯電話モジュールを装備可能である、
請求項２記載の携帯型コンポーネントオーディオ。
【請求項１３】
通信機能をモジュール形成した通信機能モジュールを装備可能である、
請求項２記載の携帯型コンポーネントオーディオ。
【請求項１４】
ディスプレイ装置をモジュール形成したディスプレイモジュールを装備可能である、
請求項２記載の携帯型コンポーネントオーディオ。
【請求項１５】
テレビをモジュール形成したテレビモジュールを装備可能である、
請求項２記載の携帯型コンポーネントオーディオ。
【発明の詳細な説明】
【技術分野】
【０００１】
本発明は、携帯型のミュージックプレーヤーで音楽を聴くときでも音質及びオーディオ装置としての品質を求める人、或いはオーディオを趣味とする人のニーズを想定する携帯サイズのオーディオ装置である。
【背景技術】
【０００２】
従来から音楽を聴く方法は、演奏会・ライブ演奏の他にレコード盤・オープンリールテープ・カセットテープ・ＣＤコンパクトディスク・ＭＤミニディスク・ラジオチューナーなどをＳｏｕｎｄ  ｓｏｕｒｃｅとするオーディオ装置、或いは携帯型カセットテーププレーヤー・カーオーディオ・ＣＤラジオカセットプレーヤーなどであった。
コンピュータ及びインターネットとともに急速に普及したのが音楽データファイル形式で記憶保存及び再生する方式であるが、携帯型のミュージックプレーヤーは年々小型軽量化が進み今ではペンに機能装備できるほど小型に形成したものがある。
しかし、携帯型ミュージックプレーヤーは小さく形成するために音質及び利便性或いは汎用性に乏しいものであった。
【発明の開示】
【０００３】
本発明の携帯型コンポーネントオーディオは、各機能部を一体型形成する方式でもよいのであるが、通常のオーディオの様にアンプ機能部・チューナー機能部・音楽ファイル記憶再生機能部・スピーカー部など機能毎に形成する方式のコンポーネントオーディオ装置である。
今までの携帯型ミュージックプレーヤーとの違いは、携帯型でありながらアンプ機能部・チューナー機能部・音楽ファイル記憶再生機能部・スピーカー部・電源部などそれぞれ機能毎にモジュール化して高音質性能を確保するだけでなく、各モジュールの接合部を従来のカセットテープ或いはＣＤ或いはコンピュータ機器の様に各製造メーカー間で規格を統一することで、従来のコンポーネントオーディオ装置様式を可能とする携帯型コンポーネントオーディオである。
【図面の簡単な説明】
【０００４】
図１は、本発明の携帯型コンポーネントオーディオを説明する図である。
図２は、携帯型コンポーネントオーディオの機能毎にモジュール形成した例である。
図３は、携帯型コンポーネントオーディオの各モジュールを接合する方法及び配線方法を示す図である。
図４は図３とは異なる方式の、携帯型コンポーネントオーディオの各モジュールを接合する方法及び配線方法を示す図である。
図５は、携帯型コンポーネントオーディオの配線方法を説明する為の図である。
【発明を実施するための最良の形態】
【０００５】
本発明の携帯型コンポーネントオーディオは、アンプ機能部・チューナー機能部・音楽ファイル記憶再生機能部・スピーカー部・電源部などを機能毎にモジュール化する。接合部は、形状だけでなく信号線端子及び電源線端子の形状及び位置を規格統一することで、例えばＡ社メーカーのアンプ及びＢ社メーカーのミュージックプレーヤー及びＣ社メーカーのスピーカーというコンポーネントオーディオ様式が可能となる。
従来の携帯型ミュージックプレーヤーは、音楽ファイル記憶部・音楽ファイル再生部・操作部・チューナー部・電源部などを一体型形成したものであるが、携帯型コンポーネントオーディオは機能毎にモジュール化するので音質及びオーディオ装置としてのメカニック品質或いは各機能部に分割して高品質な設計が可能となるだけでなく、通常のオーディオ装置の様に機能毎に異なるメーカーで組むことができるので利便性及び汎用性に優れる。各モジュールの高さ及び幅或いは奥行きの各サイズの規格は、接合可能というだけでなく全体がシステム手帳サイズに収まるサイズを策定する必要がある。
音楽ファイル記憶再生部で記憶する或いは再生する音楽データファイルは、現在の携帯型ミュージックプレーヤーなどでの方式でコンピュータに接続して維持管理するが、コンピュータにセットアップする音楽ファイル管理ソフトウェア或いは音楽データファイル形式は既にコンピュータ上で及び携帯型ミュージックプレーヤーで或いはインターネット上で普及している方式である。
音楽を再生する時は従来の携帯型ミュージックプレーヤーと同じ様式でアンプ部に備える出力端子とケーブルでつないで或いはＦＭトランスミッター機能を装備することで、オーディオ装置或いはカーオーディオ装置で再生することができる。ＦＭトランスミッター機能部は小型化を考える場合にはアンプ部に装備する方式で、音質或いは汎用性を重視する場合にはＦＭトランスミッター機能部をモジュール化する方法が考えられる。
オーディオ機能だけでなくディスプレイ装置或いはテレビをモジュール形成すると、例えばテレビ機能部・アンプ機能部・スピーカー部という構成でテレビとして、或いはハードディスク記憶装置を備えるハードディスクモジュール或いは大容量フラシュメモリを装備するフラッシュメモリモジュールを形成すると録画再生が可能となる。
音楽データファイルを音楽ファイル記憶再生機能部に記憶保存するのではなくハードディスクモジュール或いはフラッシュメモリモジュールに音楽ファイルを記憶保存して、再生時には信号線でハードディスクモジュール或いはフラッシュメモリモジュールから音楽ファイル記憶再生機能部に読み出して再生する方式がある。
外出時などには、スピーカーではなくヘッドホンで再生する構成にすると全体を小型化できる他に、携帯電話機能を携帯電話モジュールとして形成することで通話が可能となって、通信機能とキーボードをモジュール化してディスレイ機能部との構成でインターネットの電子メール送受信が可能である。文字入力方法は、ディスレイ機能部でのペンタッチ入力方式でもよい。
図１は携帯型コンポーネントオーディオ全体を説明する図であって、アンプ機能部・チューナー機能部・音楽ファイル記憶再生機能部・スピーカー部・電源部など各モジュール、及び上端及び下端にＴｅｒｍｉｎａｔｏｒ１０・１１を装着して構成するバイブルサイズ携帯型コンポーネントオーディオの例を示す正面図及び側面図である。
音楽を聴くときにはスピーカー部で再生する方式の他に、ヘッドホン端子に接続するヘッドホン或いは外付けスピーカーを接続して或いはＦＭトランスミッター機能部によって再生する。
アンプ機能部にはＬｉｎｅＩｎ端子・ＬｉｎｅＯｕｔ端子・Ｈｅａｄｐｈｏｎｅ端子を備え、音楽ファイル記憶再生機能部にはＭｉｃｒｏｐｈｏｎｅ及びＭｉｃｒｏｐｈｏｎｅ端子を装備することで音楽録音機能或いはボイスレコーダー機能を備えることが可能である。その他に、音楽データファイルを管理する為のコンピュータケーブル接続端子を備える。
図２は、アンプ機能部・チューナー機能部・音楽ファイル記憶再生機能部・ＦＭトランスミッター機能部・スピーカー部・電源部など各機能部をモジュール形成した例である。
アンプモジュールには通常のオーディオ装置の様にボリューム調整部の他に、音楽ファイル記憶再生機能部或いはチューナー機能部などの入力信号を切り替える入力セレクタースイッチなどを装備する。
音楽ファイル記憶再生機能部は現在の携帯型ミュージックプレーヤーと、及びチューナー機能部或いはスピーカー部は通常のオーディオ装置と同じ様式である。
電源部は、充電バッテリー方式モジュール及び電池ホルダー式モジュール或いはＡＣ電源ケーブルなど通常のデジタル家電製品と同じ様式である。
スピーカーモジュールは全体で１個装備する接合方式でもよいし、両サイドに一つずつ２個装備する方式でもよい。
図３の（ａ）は各モジュール接合部の接合部下端側の接点端子３０及び接合受け部３２を示す図で、及び図３の（ｂ）は各モジュール接合部の接合部上端側の接点端子３８及び接合部３９を示す図である。接合部３９及び接合受け部３２で接合して必要な場合にはロック３４で固定する方式の、接点端子３０及び接点端子３８を接続する携帯型コンポーネントオーディオ接合方式である。システム手帳シートは携帯型コンポーネントオーディオ全体を固定或いは収納可能な様に形成する。カギ状にセットしてからスライドする方式で接合する例が図３であるが、図３で示す断面形状の他に図示しないが例えば矢印型及び逆台形型或いは図３で示す型の断面形状で接合部を左端から右端までレール状に形成する接合方式でもよい。それらの方式の場合でも筐体の形成形状或いは材質で例えばロック３４が必要かどうかなど異なってくるが、統一規格を策定する際に接合部は接合できればよいというだけでなくシンプルなのだけれどメカニカルであって信頼性がある形状及び形成材料を検討する。
図４は、図３で説明した方式とは異なるモジュール接合方法を説明する図である。図４の（ａ）はリード線４２を装備してその両端にモジュール取り付け部４１を備えるモジュール取り付け板４０をシステム手帳シート型に形成したものである。図４の（ｂ）は、例としてアンプモジュール４３の裏面図であってモジュール裏面端子４５を備える。アンプモジュール４３のモジュール固定部４４をモジュール取り付け板４０のモジュール取り付け部４１に、図４の（ｃ）に側面図で示す方式でモジュール取り付けネジ４７及びモジュール高さで形成したモジュール取り付けネジ受板４８で固定することで、アンプモジュール４３裏面に装備する接点端子をモジュール取り付け板４０に装備するリード線４２でチューナーモジュール・音楽ファイル記憶再生モジュール・スピーカーモジュール・電源モジュールなどそれぞれと配線接続する方法の携帯型コンポーネントオーディオラック方式である。
図５の（ａ）は、図３で説明した携帯型コンポーネントオーディオ接合方式で、各モジュールを形成する際のリード線５０で配線する方法を説明する図である。リード線５０の位置及び本数を規格化して各機能部モジュールで形成しておくことで、接合時に各機能部モジュールの接合位置を考える必要なく接合できる様になる。
図５の（ｂ）は、図３で説明した接点端子３０及び図４で説明したモジュール裏面端子４５を説明する為の図であって、接点端子３０及びモジュール裏面端子４５の接点５７はスプリング５９で支える可動方式で形成して、携帯型コンポーネントオーディオ接合方式で接合したとき或いは携帯型コンポーネントオーディオラック方式でモジュール取り付け板４０に固定したときには、それぞれ接点端子３８・５５或いはモジュール取り付け板４０に装備するリード線４２・５５と接続する。
以上本発明のいくつかの実施例を説明したが、本発明はこの実施例に限定されるものではなく諸条件で実施可能である。システム手帳サイズはバイブルサイズに限らず他のサイズで形成してもよく、スケジュールファイルなどと綴じる方式ではなく固定綴じ式の携帯型コンポーネントオーディオ専用に形成する方式にすると、小型なのだけれどもオーディオと言えるものになると考えられる。
【産業上の利用可能性】
【０００６】
従来から音楽再生装置は設置型が多くオーディオ装置或いは居住空間に設備する方式などであったが、携帯型カセットテープ再生装置が世に出てからは音楽を持ち歩くというライフスタイルが定着しただけでなくコンピュータ或いはインターネットと共に音楽データファイル方式が普及したので、記憶媒体がレコード盤・カセットテープ・ＣＤ・ＭＤなどの場合とは違ってミュージックプレーヤーを小型形成することが可能になった。
音楽ファイルの再生装置には、ミュージックプレーヤー機能を備える携帯型コンピュータ或いは音楽専用の携帯型ミュージックプレーヤーなどあるが、小型軽量に形成するため音楽を聴くときにはヘッドホンか或いはスピーカーを接続して再生していた。それに対して携帯型コンポーネントオーディオは音楽再生装置としての品質を保ちながらスピーカーで手軽に再生可能なので音楽が身近なものとなるという実用面だけでなく、メカニックな物が好きな人が良い材質と形成のカメラを好む様に新しいオーディオとして好まれると予想できる。
【図１】
2008139629.tif 000003
【図２】
2008139629.tif 000004
【図３】
2008139629.tif 000005
【図４】
2008139629.tif 000006
【図５】
2008139629.tif 000007
【国際調査報告】
2008139629.tif 000008
2008139629.tif 000009
2008139629.tif 000010
2008139629.tif 000011